(57)【特許請求の範囲】
【請求項１】
ハウジングと、
前記ハウジングにおける一方側に配置されるベース板部と、
回転駆動力を出力する回転駆動源と、
前記回転駆動源からの回転駆動力が伝達される伝達ギアと、
前記ベース板部に第１回転軸を中心に回転可能に取り付けられ、前記伝達ギアからの回転駆動力が伝達される入力ギアと、
前記入力ギアの第１回転軸方向における前記ベース板部側と反対側に前記第１回転軸を中心に回転可能に配置され、前記入力ギアからの回転駆動力が伝達可能であると共に、前記入力ギアから伝達された回転駆動力を出力可能な出力軸と、
電流の供給状態に応じて、前記入力ギアからの回転駆動力を前記出力軸に伝達する連結状態と、前記入力ギアからの回転駆動力を前記出力軸に伝達しない非連結状態とに前記入力ギアと前記出力軸との状態を変更可能なクラッチ部と、
前記クラッチ部を覆うように配置されると共に、前記出力軸を回転可能に軸支する支持部材と、
前記支持部材における前記入力ギア側と反対側に前記第１回転軸方向に突出して配置されると共に、前記クラッチ部へ供給される電流の入力を受け付けるコネクタ部と、
前記ハウジングに形成され、前記支持部材を収容可能な収容部であって、
前記出力軸が該収容部における内部側から外部側に挿通可能な挿通孔と、
前記コネクタ部が係合可能な開口状の部分であって、前記コネクタ部が係合した状態において、前記コネクタ部を前記収容部の外部側に露出させると共に、前記支持部材の回転を規制する回り止め部とを有する収容部と、を備え、
前記クラッチ部を複数有する場合、互いに隣に並んで形成される２つの前記収容部において、２つの前記回り止め部は、互いに向かい合うような位置関係で形成され、２つの前記コネクタ部は、互いに向かい合うような位置関係で配置される
駆動装置。
【請求項２】
前記収容部は、前記回り止め部よりも開口領域が小さい通気部を備え、
前記回り止め部又は前記通気部のうちの一方は、垂直方向上側に配置される
請求項１に記載の駆動装置。
【請求項３】
前記回り止め部と前記通気部とは、
垂直方向において互いに対向して形成されると共に、一方が前記収容部における垂直方向上側に形成され、他方が前記収容部における垂直方向下側に形成される
請求項２に記載の駆動装置。
【請求項４】
前記回り止め部における外縁には、前記コネクタ部の挿入をガイドする傾斜状のガイド部を有する
請求項１から３のいずれかに記載の駆動装置。
【請求項５】
請求項１から４のいずれかに記載の駆動装置と、
前記駆動装置により回転される給紙ローラであって、
前記出力軸に直接又は間接的に連結され前記出力軸からの回転駆動力が伝達される軸部材と、
前記軸部材に連結される給紙ローラ本体と、を有する給紙ローラと、を備える
画像形成装置。
【発明の詳細な説明】
【技術分野】
【０００１】
本発明は、クラッチ部を有する駆動装置、及び該駆動装置を備えるプリンタやコピー機等の画像形成装置に関する。
【背景技術】
【０００２】
従来、プリンタやコピー機等の画像形成装置において、用紙は、搬送路に配置される複数の給紙ローラにより搬送される。
ここで、これらの搬送ローラのうち所定エリアに配置される複数の搬送ローラは、一の駆動装置（駆動ユニット）に連結される。
この駆動装置は、モータ等の駆動源からの回転駆動力を搬送ローラの両端に配置される軸部材に伝達させる。これにより、搬送ローラは、回転駆動され用紙を所定の搬送方向に搬送する。
【０００３】
ところで、画像形成装置において使用される駆動源は、定常的に回転駆動力を出力する構成（仕様）とすることが多く、この場合、画像形成装置における駆動装置には、例えば、軸部材に回転駆動力を伝達させる状態（連結状態）と、伝達させない状態（非連結状態）とに切り替え可能な電磁クラッチが配置される。
【０００４】
ここで、駆動装置に組み込まれた電磁クラッチにおいて、出力軸を回転可能に軸支すると共に電磁クラッチを覆うよう配置される支持部材が出力軸と一緒に回転してしまう場合があった。
【０００５】
これに対し、支持部材が出力軸と一緒に回転することを抑制する回り止め部を備える伝動装置（駆動装置）及び該伝動装置を備える画像形成装置が提案されている（例えば、特許文献１参照）。
【先行技術文献】
【特許文献】
【０００６】
【特許文献１】特開２００８−２６４７２号公報
【発明の概要】
【発明が解決しようとする課題】
【０００７】
しかし、特許文献１の画像形成装置の場合、製造者は、支持部材の回転を抑制する回り止め部として新たな部品を追加する必要があった。
【０００８】
本発明は、新たな部品を追加することなく、クラッチの支持部材が回転することを抑制可能な駆動装置を提供することを目的とする。
また、本発明は、上記駆動装置を備える画像形成装置を提供することを目的とする。
【課題を解決するための手段】
【０００９】
本発明は、ハウジングと、前記ハウジングにおける一方側に配置されるベース板部と、回転駆動力を出力する回転駆動源と、前記回転駆動源からの回転駆動力が伝達される伝達ギアと、前記ベース板部に第１回転軸を中心に回転可能に取り付けられ、前記伝達ギアからの回転駆動力が伝達される入力ギアと、前記入力ギアの第１回転軸方向における前記ベース板部側と反対側に前記第１回転軸を中心に回転可能に配置され、前記入力ギアからの回転駆動力が伝達可能であると共に、前記入力ギアから伝達された回転駆動力を出力可能な出力軸と、電流の供給状態に応じて、前記入力ギアからの回転駆動力を前記出力軸に伝達する連結状態と、前記入力ギアからの回転駆動力を前記出力軸に伝達しない非連結状態とに前記入力ギアと前記出力軸との状態を変更可能なクラッチ部と、前記クラッチ部を覆うように配置されると共に、前記出力軸を回転可能に軸支する支持部材と、前記支持部材における前記入力ギア側と反対側に前記第１回転軸方向に突出して配置されると共に、前記クラッチ部へ供給される電流の入力を受け付けるコネクタ部と、前記ハウジングに形成され、前記支持部材を収容可能な収容部であって、前記出力軸が該収容部における内部側から外部側に挿通可能な挿通孔と、前記コネクタ部が係合可能な開口状の部分であって、前記コネクタが係合した状態において、前記コネクタを前記収容部の外部側に露出させると共に、前記支持部材の回転を規制する回り止め部とを有する収容部と、を備える駆動装置に関する。
【００１０】
また、前記収容部は、前記回り止め部よりも開口領域が小さい通気部と、を備えることが好ましい。
【００１１】
また、前記回り止め部又は前記通気部のうちの一方は、垂直方向上側に配置されることが好ましい。
【００１２】
また、前記回り止め部と前記通気部とは、垂直方向において互いに対向して形成されると共に、一方が前記収容部における垂直方向上側に形成され、他方が前記収容部における垂直方向下側に形成されることが好ましい。
【００１３】
また、前記回り止め部における外縁には、前記コネクタ部の挿入をガイドする傾斜状のガイド部を有することが好ましい。
【００１４】
また、前記収容部は、略有頭円筒状に形成され、前記回り止め部は、前記有頭円筒状における外周壁の一部と頭部となっている端壁の一部とを切り欠くようにして形成され、前記コネクタ部は、前記第１回転軸に直交する方向において、前記有頭円筒状における端壁が完全な円状であった場合における仮想外周の内側に配置されることが好ましい。
【００１５】
また、前記クラッチ部を複数有する場合、互いに隣に並んで形成される２つの前記収容部において、２つの前記回り止め部は、互いに向かい合うような位置関係で形成され、２つの前記コネクタ部は、互いに向かい合うような位置関係で配置されることが好ましい。
【００１６】
また、本発明は、上記いずれかに記載の駆動装置と、前記駆動装置により回転される給紙ローラであって、前記出力軸に直接又は間接的に連結され前記出力軸からの回転駆動力が伝達される軸部材と、前記軸部材に連結される給紙ローラ本体と、を有する給紙ローラと、を備える画像形成装置に関する。
【発明の効果】
【００１７】
本発明によれば、新たな部品を追加することなく、クラッチの支持部材が回転することを抑制可能な駆動装置を提供することができる。
また、本発明によれば、上記駆動装置を備える画像形成装置を提供することができる。
【図面の簡単な説明】
【００１８】
【図１】本発明の第１実施形態としてのプリンタ１における各構成要素の配置を説明するための正面図である。
【図２】プリンタのカセット給紙部の前送りコロや給紙ローラ対を駆動する駆動装置２１の斜視図である。
【図３】図２に示した駆動装置の複数本の出力軸を回転駆動する歯車列等の説明図である。
【図４】駆動装置の出力軸と入力ギアとの間に装備されているクラッチ部の外観斜視図である。
【図５】駆動装置のクラッチが組み付けられた入力ギアと、該入力ギアに回転力を入力する伝達ギアとの噛み合い状態を示す斜視図である。
【図６】駆動装置のハウジング内におけるクラッチの支持部材やコネクタの位置を示す縦断面図である。
【図７】駆動装置のクラッチに接続されるコネクタが挿入される回り止め部の形状の説明図である。
【図８】駆動装置の出力軸とカセット給紙部側の軸部とを連結するジョイント（軸結合）構造の斜視図である。
【発明を実施するための形態】
【００１９】
以下、図面を参照して、本発明の画像形成装置の実施形態を説明する。
図１により、第１実施形態の画像形成装置としてのプリンタ１における全体構造を説明する。図１は、本発明の第１実施形態としてのプリンタ１における各構成要素の配置を説明するための正面図である。
【００２０】
以下の説明において、プリンタ１の前側に立ったユーザから見て、左右方向を矢印Ｘの方向とし、上下方向を矢印Ｚの方向とする。また、プリンタ１の前側に立ったユーザから見て、前後（奥行き）方向は、上記の矢印Ｘ及び矢印Ｚの双方に直交する方向である。このプリンタ１の前後（奥行き）方向は、後述の感光体ドラムの軸方向（図３に示す矢印Ｙ方向）である。
【００２１】
図１に示すように、画像形成装置としてのプリンタ１は、装置本体Ｍと、所定の画像情報に基づいてシート状の被転写材としての用紙Ｔにトナー画像を形成する画像形成部ＧＫと、用紙Ｔを画像形成部ＧＫに給紙すると共にトナー画像が形成された用紙Ｔを排紙する給排紙部ＫＨとを有する。
装置本体Ｍにおける外形は、筐体としてのケース体ＢＤにより構成されている。
【００２２】
図１に示すように、画像形成部ＧＫは、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対向ローラ１８と、定着部９と、を備える。
【００２３】
図１に示すように、給排紙部ＫＨは、給紙カセット５２と、手差し給紙部６４と、用紙Ｔの搬送路Ｌと、レジストローラ対８０と、複数のローラ又はローラ対と、排紙部５０と、を備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂとの集合体である。
【００２４】
以下、画像形成部ＧＫ及び給排紙部ＫＨの各構成について詳細に説明する。
まず、画像形成部ＧＫについて説明する。
画像形成部ＧＫにおいては、画像形成時に感光体ドラム２ａ、２ｂ、２ｃ、２ｄが回転すると順に、感光体ドラム２ａ、２ｂ、２ｃ、２ｄそれぞれの表面に対して、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部ＧＫにおいては、中間転写ベルト７、２次転写ローラ８及び対向ローラ１８による２次転写、並びに定着部９による定着が行われる。
【００２５】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる回転軸を中心に、図１に示した矢印の方向に回転可能に配置されている。感光体ドラム２ａ、２ｂ、２ｃ、２ｄそれぞれにおける表面には、静電潜像が形成され得る。
【００２６】
帯電部１０ａ、１０ｂ、１０ｃ、１０ｄそれぞれは、感光体ドラム２ａ、２ｂ、２ｃ、２ｄそれぞれの表面に対向して配置されている。帯電部１０ａ、１０ｂ、１０ｃ、１０ｄそれぞれは、感光体ドラム２ａ、２ｂ、２ｃ、２ｄそれぞれの表面を一様に正（プラス極性）に帯電させる。
【００２７】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置されている。レーザスキャナユニット４ａ、４ｂ、４ｃ、４ｄそれぞれは、不図示のレーザ光源、ポリゴンミラー、ポリゴンミラー駆動用モータ等を有して構成されている。
【００２８】
レーザスキャナユニット４ａ、４ｂ、４ｃ、４ｄそれぞれは、ＰＣ（パーソナルコンピュータ）等の外部機器から入力された画像情報に基づいて、感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面の露光された部分の電荷が除去される。これにより、感光体ドラム２ａ、２ｂ、２ｃ、２ｄそれぞれの表面に静電潜像が形成される。
【００２９】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置されている。現像器１６ａ、１６ｂ、１６ｃ、１６ｄそれぞれは、感光体ドラム２ａ、２ｂ、２ｃ、２ｄそれぞれの表面に形成された静電潜像の帯電電荷が除去された箇所に各色のトナーを付着させて、カラーのトナー画像を感光体ドラム２ａ、２ｂ、２ｃ、２ｄそれぞれの表面に形成する。現像器１６ａ、１６ｂ、１６ｃ、１６ｄそれぞれは、イエロー、シアン、マゼンタ、ブラックの４つの色に対応する。現像器１６ａ、１６ｂ、１６ｃ、１６ｄそれぞれは、感光体ドラム２ａ、２ｂ、２ｃ、２ｄの表面に対向配置された現像ローラ、トナー攪拌用の攪拌ローラ等を有して構成されている。
【００３０】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３１】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。トナー供給部６ａ、６ｂ、６ｃ、６ｄそれぞれと現像器１６ａ、１６ｂ、１６ｃ、１６ｄそれぞれとは、不図示のトナー搬送装置によって結ばれている。
【００３２】
中間転写ベルト７には、感光体ドラム２ａ、２ｂ、２ｃ、２ｄに形成された各色のトナー画像が順次１次転写される。中間転写ベルト７は、従動ローラ３５、駆動ローラとして機能する対向ローラ１８、テンションローラ３６等に掛け渡されている。テンションローラ３６が中間転写ベルト７を内側から外側に付勢するため、中間転写ベルト７には所定の張力が与えられる。
【００３３】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置されている。
【００３４】
中間転写ベルト７は、１次転写ローラ３７ａ、３７ｂ、３７ｃ、３７ｄそれぞれと、感光体ドラム２ａ、２ｂ、２ｃ、２ｄそれぞれとにより挟み込まれる。この挟み込まれた部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成されている。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに形成された各色のトナー画像が中間転写ベルト７に順次１次転写される。これにより、中間転写ベルト７には、フルカラーのトナー画像が形成される。
【００３５】
１次転写ローラ３７ａ、３７ｂ、３７ｃ、３７ｄそれぞれには、不図示の１次転写バイアス印加部により、感光体ドラム２ａ、２ｂ、２ｃ、２ｄそれぞれに形成された各色のトナー画像を中間転写ベルト７に転写させるための１次転写バイアスが印加される。
【００３６】
除電器１２ａ、１２ｂ、１２ｃ、１２ｄそれぞれは、感光体ドラム２ａ、２ｂ、２ｃ、２ｄそれぞれの表面に対向して配置されている。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００３７】
ドラムクリーニング部１１ａ、１１ｂ、１１ｃ、１１ｄそれぞれは、感光体ドラム２ａ、２ｂ、２ｃ、２ｄそれぞれの表面に対向して配置されている。ドラムクリーニング部１１ａ、１１ｂ、１１ｃ、１１ｄそれぞれは、感光体ドラム２ａ、２ｂ、２ｃ、２ｄそれぞれの表面に１次転写後に残存したトナーや付着物を除去すると共に、除去されたトナー等を所定の回収機構へ搬送して、回収させる。
【００３８】
２次転写ローラ８は、中間転写ベルト７に１次転写されたフルカラーのトナー画像を用紙Ｔに２次転写させる。２次転写ローラ８には、不図示の２次転写バイアス印加部により、中間転写ベルト７に形成されたフルカラーのトナー画像を用紙Ｔに転写させるための２次転写バイアスが印加される。
【００３９】
２次転写ローラ８は、中間転写ベルト７に対して当接したり離間したりする。具体的には、２次転写ローラ８は、中間転写ベルト７に当接される当接位置と中間転写ベルト７から離間する離間位置とに移動可能に構成されている。詳細には、２次転写ローラ８は、中間転写ベルト７の表面に１次転写されたフルカラーのトナー画像を用紙Ｔに２次転写させる場合には当接位置に配置され、他の場合には離間位置に配置される。
【００４０】
中間転写ベルト７における２次転写ローラ８とは反対側には、対向ローラ１８が配置されている。中間転写ベルト７は、２次転写ローラ８と対向ローラ１８とによって挟み込まれる。そして、用紙Ｔは中間転写ベルト７の外面（トナー画像が１次転写された面）に押し当てられる。中間転写ベルト７と２次転写ローラ８との間に２次転写ニップＮ２が形成されている。２次転写ニップＮ２において、中間転写ベルト７に１次転写されたフルカラーのトナー画像が用紙Ｔに２次転写されている。
【００４１】
定着部９は、用紙Ｔに２次転写されたトナー画像を構成する各色のトナーを溶融及び加圧して、用紙Ｔに定着させる。定着部９は、ヒータにより加熱される加熱回転体９ａと、加熱回転体９ａに圧接される加圧回転体９ｂと、を備える。加熱回転体９ａと加圧回転体９ｂとは、トナー画像が２次転写された用紙Ｔを挟み込んで加圧すると共に、搬送する。加熱回転体９ａと加圧回転体９ｂとの間に挟まれた状態で用紙Ｔが搬送されることによって、用紙Ｔに転写されたトナーは、溶融及び加圧をされることで用紙Ｔに定着される。
【００４２】
次に、給排紙部ＫＨについて説明する。
図１に示すように、装置本体Ｍの下部には、用紙Ｔを収容する給紙カセット５２が配置されている。給紙カセット５２は、装置本体Ｍのケース体ＢＤから水平方向に引き出し可能に構成されている。給紙カセット５２には、用紙Ｔが載置される載置板６０が配置されている。給紙カセット５２には、用紙Ｔが載置板６０の上に積層された状態で収容されている。載置板６０に載置された用紙Ｔは、給紙カセット５２の用紙送り出し側の端部（図１において右側の端部）に配置されているカセット給紙部５１により搬送路Ｌに送り出されている。カセット給紙部５１は、載置板６０上の用紙Ｔを取り出すための前送りコロ６１と、用紙Ｔを１枚ずつ搬送路Ｌに送り出すための給紙ローラ対８１とからなる重送防止機構を備える。
【００４３】
カセット給紙部５１における給紙ローラ対８１は、給紙ローラ８１ａと、分離ローラ８１ｂとを備える。給紙ローラ８１ａは、前送りコロ６１により給紙カセット５２から繰り出された用紙Ｔの表面に当接するように配置されており、回転駆動されることで、用紙Ｔを搬送路Ｌに送り出す。分離ローラ８１ｂは、前送りコロ６１により給紙カセット５２から繰り出された用紙Ｔを挟んで給紙ローラ８１ａとは反対側に設けられ、重ね送りされた下側の用紙Ｔを上側の用紙Ｔから分離する。
【００４４】
カセット給紙部５１は、前送りコロ６１や給紙ローラ対８１を専用の筐体により一体的に支持したユニットである。カセット給紙部５１は、装置本体Ｍに対して、前送りコロ６１や給紙ローラ対８１の軸方向に沿って着脱可能に取り付けられる。カセット給紙部５１は、装置本体Ｍに取り付けた状態では、前送りコロ６１や給紙ローラ対８１の一端側の軸部が、装置本体Ｍ側に配備されている後述する駆動装置２１の出力軸に連結され、当該駆動装置２１により、前送りコロ６１や給紙ローラ対８１が駆動可能になる。前送りコロ６１や給紙ローラ対８１を駆動する駆動装置２１の詳細については、後述する。
【００４５】
装置本体Ｍの右側面（図１において右側）には、手差し給紙部６４が設けられる。手差し給紙部６４は、給紙カセット５２にセットされている用紙Ｔとは異なる大きさや種類の用紙Ｔを装置本体Ｍに供給することを主目的として設けられる。手差し給紙部６４は、閉状態において装置本体Ｍの右側面の一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置されている。給紙コロ６６は、開状態の手差しトレイ６５に載置された用紙Ｔを手差し搬送路Ｌａに給紙する。
【００４６】
用紙Ｔを搬送する搬送路Ｌは、カセット給紙部５１から２次転写ニップＮ２までの第１搬送路Ｌ１と、２次転写ニップＮ２から定着部９までの第２搬送路Ｌ２と、定着部９から排紙部５０までの第３搬送路Ｌ３と、手差し給紙部６４から供給される用紙を第１搬送路Ｌ１に合流させる手差し搬送路Ｌａと、第３搬送路Ｌ３を下流側から上流側へ搬送する用紙を、表裏反転させて第１搬送路Ｌ１に戻す戻り搬送路Ｌｂと、を備える。
【００４７】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、戻し搬送路Ｌｂが第３搬送路Ｌ３から分岐する分岐部である。
【００４８】
第１搬送路Ｌ１の途中（詳細には、第２合流部Ｐ２と２次転写ニップＮ２との間）には、用紙Ｔを検出するための用紙検出センサ（図示せず）と、用紙Ｔのスキュー（斜め給紙）補正や画像形成部ＧＫにおけるトナー画像の形成とタイミングを合わせるためのレジストローラ対８０とが配置されている。前記用紙検出センサは、用紙Ｔの搬送方向におけるレジストローラ対８０の直前（搬送方向における上流側）に配置されている。レジストローラ対８０は、前記用紙検出センサからの検出信号情報に基づいて上述の補正やタイミング調整をして用紙Ｔを搬送する。
【００４９】
第１搬送路Ｌ１における第１合流部Ｐ１と第２合流部Ｐ２との間には、中間ローラ対８２が配置されている。中間ローラ対８２は、給紙ローラ対８１に関して用紙搬送方向の下流側に配置され、給紙ローラ対８１より搬送されている用紙Ｔを挟持して、レジストローラ対８０へ搬送する。
【００５０】
戻し搬送路Ｌｂは、用紙Ｔに両面印刷を行う際に、既に印刷されている面とは反対面（未印刷面）を中間転写ベルト７に対向させるために設けられた搬送路である。戻し搬送路Ｌｂによって、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、２次転写ニップＮ２において未印刷面に対してトナー画像が転写されている。
【００５１】
第１分岐部Ｑ１には、整流部材５８が設けられている。整流部材５８は、定着部９から搬出され第３搬送路Ｌ３を上流側から下流側に向けて搬送する用紙Ｔの搬送方向を、排紙部５０に向かう方向に整流すると共に、排紙部５０から第３搬送路Ｌ３を下流側から上流側に向けて搬送する用紙Ｔの搬送方向を、戻し搬送路Ｌｂに向かう方向に整流する。
【００５２】
第３搬送路Ｌ３における端部には、排紙部５０が形成されている。排紙部５０は、装置本体Ｍの上部に配置されている。排紙部５０は、装置本体Ｍの左側面側（図１において左側）に向けて開口している。排紙部５０は、用紙Ｔを装置本体Ｍの外部に排紙する。排紙部５０は、排出ローラ対５３を有している。排出ローラ対５３によって、第３搬送路Ｌ３を上流側から下流側に搬送されている用紙Ｔを装置本体Ｍの外部に排紙すると共に、排紙部５０において用紙Ｔの搬送方向を反転させて用紙Ｔを第３搬送路Ｌ３の上流側に向けて搬送することができる。
【００５３】
排紙部５０の開口側には、排紙集積部Ｍ１が形成されている。排紙集積部Ｍ１は、装置本体Ｍの上面（外面）に形成されている。排紙集積部Ｍ１は、装置本体Ｍの上面が下方に窪んで形成された部分である。排紙集積部Ｍ１の底面は、装置本体Ｍの上面の一部を構成する。排紙集積部Ｍ１には、所定のトナー画像が形成され排紙部５０から排紙された用紙Ｔが積層して集積される。
なお、各搬送路の所定位置には用紙検出用のセンサ（不図示）が配置されている。
【００５４】
次に、図１を参照して、第１実施形態のプリンタ１の動作について、簡単に説明する。
まず、給紙カセット５２に収容された用紙Ｔに片面印刷を行う場合について説明する。
給紙カセット５２に収容された用紙Ｔは、前送りコロ６１及び給紙ローラ対８１によって第１搬送路Ｌ１に送り出され、その後、第１合流部Ｐ１及び第１搬送路Ｌ１を介して、中間ローラ対８２により、レジストローラ対８０に搬送される。
レジストローラ対８０においては、用紙Ｔのスキュー補正や、画像形成部ＧＫにおけるトナー画像の形成とのタイミング調整が行われる。
【００５５】
レジストローラ対８０から排出された用紙Ｔは、第１搬送路Ｌ１を介して中間転写ベルト７と２次転写ローラ８との間（２次転写ニップＮ２）に導入される。そして、用紙Ｔには、中間転写ベルト７と２次転写ローラ８との間において、トナー画像が転写される。
その後、用紙Ｔは、中間転写ベルト７と２次転写ローラ８との間から排出され、第２搬送路Ｌ２を介して、定着部９における加熱回転体９ａと加圧回転体９ｂとの間の定着ニップに導入される。そして、定着ニップにおいてトナーが溶融し、トナーが用紙Ｔに定着される。
【００５６】
次いで、用紙Ｔは、第３搬送路Ｌ３を通して排紙部５０に搬送され、排出ローラ対５３により排紙部５０から排紙集積部Ｍ１に排出される。
このようにして、給紙カセット５２に収容された用紙Ｔの片面印刷が完了する。
【００５７】
手差しトレイ６５に載置された用紙Ｔに片面印刷を行う場合には、手差しトレイ６５に載置された用紙Ｔは、給紙コロ６６によって手差し搬送路Ｌａに送り出され、その後、第１合流部Ｐ１及び第１搬送路Ｌ１を介して、レジストローラ対８０に搬送される。それ以降の動作は、前述した、給紙カセット５２に収容された用紙Ｔの片面印刷の動作と同様であり、説明を省略する。
【００５８】
次に、両面印刷を行う場合のプリンタ１の動作について説明する。
片面印刷の場合には、前述した通り、片面印刷がされた用紙Ｔが、排紙部５０から排紙集積部Ｍ１に排出されて印刷動作が完了する。
これに対し、両面印刷を行う場合には、片面印刷がされた用紙Ｔが、戻し搬送路Ｌｂを介して、片面印刷時とは表裏反転して、レジストローラ対８０に再度搬送されることにより、用紙Ｔに両面印刷が施される。
【００５９】
詳述すると、片面印刷がされた用紙Ｔが排出ローラ対５３により排紙部５０から排出されるまでは、前述した片面印刷の動作と同様である。而して、両面印刷の場合には、片面印刷がされた用紙Ｔが排出ローラ対５３により保持されている状態において、排出ローラ対５３の回転を停止させ、逆方向に回転させる。このように排出ローラ対５３を逆方向に回転させると、排出ローラ対５３に保持されている用紙Ｔは、第３搬送路Ｌ３を逆方向（排紙部５０から第１分岐部Ｑ１に向かう方向）に搬送される。
【００６０】
前述したように、用紙Ｔが、第３搬送路Ｌ３を逆方向に搬送されると、整流部材５８により、用紙Ｔは、戻し搬送路Ｌｂへ整流され、その後、第２合流部Ｐ２を介して、第１搬送路Ｌ１に合流する。ここで、用紙Ｔは、片面印刷時とは表裏反転している。
【００６１】
更に、用紙Ｔは、レジストローラ対８０により前記補正又は前記調整が行われ、第１搬送路Ｌ１を介して、２次転写ニップＮ２に導入される。用紙Ｔは、戻し搬送路Ｌｂを経由することにより、未印刷面が中間転写ベルト７に対向するので、未印刷面にトナー画像が転写され、その結果、両面印刷が施される。
【００６２】
次に、図２から図７により、カセット給紙部５１の前送りコロ６１や給紙ローラ対８１を駆動する駆動装置２１の詳細について説明する。
図２は、カセット給紙部５１を構成する前送りコロ６１や給紙ローラ対８１を駆動する駆動装置２１の斜視図である。図３は、図２に示した駆動装置２１の複数本の出力軸を回転駆動する歯車列等の説明図である。図４は、駆動装置２１の出力軸と入力ギアとの間に装備されているクラッチ部の外観斜視図である。図５は、駆動装置２１のクラッチが組み付けられた入力ギアと、該入力ギアに回転力を入力する伝達ギアとの噛み合い状態を示す斜視図である。図６は、駆動装置２１のハウジング内におけるクラッチの支持部材やコネクタの位置を示す縦断面図である。図７は、駆動装置２１のクラッチに接続されるコネクタが挿入される回り止め部の形状の説明図である。図８は、駆動装置２１の出力軸とカセット給紙部５１側の軸部とを連結するジョイント（軸結合）構造の斜視図である。
【００６３】
図２及、図３及び図６に示すように、駆動装置２１は、ハウジング２２と、ベース板部２３と、回転駆動源としてのモータ２４と、伝達ギア２５と、入力ギア２６と、出力軸２７Ａ、２７Ｂと、クラッチ部２８Ａ、２８Ｂと、支持部材２９Ｂ、２９Ｂと、コネクタ部３０Ａ、３０Ｂと、収容部３１Ａ、３１Ｂと、ジョイント部材３４Ａ、３４Ｂ、３４Ｃと、を備える。
【００６４】
ハウジング２２は、該ハウジング２２に形成された後述する収容部３１Ａ、３１Ｂがカセット給紙部５１側に向くようにして装置本体Ｍの一側（図１において紙面垂直方向の奥側）に取り付けられる。ハウジング２２は、樹脂製である。
図２に示すように、ハウジング２２には、所定の間隔で並ぶ２つの収容部３１Ａ、３１Ｂが一体形成される。収容部３１Ａ、３１Ｂの詳細については、後述する。
【００６５】
ベース板部２３は、ハウジング２２における一方側であって、装置本体Ｍの内部において、カセット給紙部５１とは反対側に位置する側に配置される。図３に示すように、ベース板部２３は、後述のモータ２４や歯車列が組み付けられる構造基板である。
【００６６】
モータ２４は、カセット給紙部５１の前送りコロ６１や給紙ローラ対８１を駆動するための回転駆動力を出力する回転駆動源である。図３に示すように、モータ２４は、回転駆動力を出力する出力部２４ａがベース板部２３の一方側に配置された歯車列ＧＬに噛合するように、ベース板部２３の他方側に固定される。モータ２４は、プリンタ１の運転時において、不図示の給電手段からの給電により、常時駆動状態にされる。
【００６７】
伝達ギア２５は、ベース板部２３における一方側（モータ２４と反対側）に配置される歯車列ＧＬを構成する歯車の１つであって、モータ２４の出力部２４ａが噛合している第１中継歯車１０１を介して、モータ２４からの回転駆動力が伝達される。
【００６８】
図４から図６により、一方のクラッチ部２８Ａ（図２及び図３において下側に配置）及びその周辺構造（周り止め機構も含む）について説明する。ここで、他方のクラッチ部２８Ｂ及びその周辺構造は、一方のクラッチ部２８Ａ及びその周辺構造と垂直方向において対称になるよう構成されているほか、同様の構成となっているので、一方のクラッチ部２８Ａの説明を援用できる。
【００６９】
図６に示すように、入力ギア２６は、第１回転軸Ｃ１を中心に回転可能にベース板部２３に取り付けられる。第１回転軸Ｃ１は、入力ギア２６の中心軸線である。具体的には、第１回転軸Ｃ１は、入力ギア２６を回転自在に支持する軸部材１０２Ａの中心軸線である。入力ギア２６は、伝達ギア２５からの回転駆動力が伝達される。
【００７０】
出力軸２７Ａは、入力ギア２６と同軸となるように、入力ギア２６の第１回転軸Ｃ１方向におけるベース板部２３側と反対側に配置される。また、出力軸２７Ａは、第１回転軸Ｃ１を中心に回転可能に配置される。出力軸２７Ａは、後述のクラッチ部２８Ａを介して入力ギア２６に連結されることで、入力ギア２６からの回転駆動力が伝達可能であると共に、入力ギア２６から伝達された回転駆動力を出力可能な軸である。
【００７１】
クラッチ部２８Ａは、本実施形態において電磁クラッチであって、電流の供給状態により、入力ギア２６と出力軸２７Ａとの間に介在する不図示の電磁石をＯＮ／ＯＦＦすることで、入力ギア２６と出力軸２７とを連結状態又は非連結状態に切り替える。つまり、クラッチ部２８Ａは、入力ギア２６と出力軸２７Ａとの状態を、電磁石のＯＮ／ＯＦＦにより、入力ギア２６からの回転駆動力を出力軸２７Ａに伝達する連結状態と、入力ギア２６からの回転駆動力を出力軸２７Ａに伝達しない非連結状態とに、変更可能である。
【００７２】
支持部材２９Ａは、クラッチ部２８Ａを覆うように配置されると共に、出力軸２７を回転可能に軸支する部材である。
図５に示すように、支持部材２９Ａは、入力ギア２６側から出力軸２７Ａの先端側に向かって３段階的に径が縮小する多段筒部２９ａと、該多段筒部２９ａにおける出力軸２７側の端面（図６において左側の端面）を覆う端壁部２９ｂとを備えた有頭筒状に形成される。支持部材２９Ａは、クラッチ部２８Ａを覆うように配置される。
支持部材２９Ａの端壁部２９ｂにおける中心には、出力軸２７Ａを挿通させる開口２９ｃが形成されている。支持部材２９Ａは、開口２９ｃに挿通された出力軸２７Ａを回転可能に軸支する。
支持部材２９Ａは、クラッチ部２８Ａを覆うように配置されると共に、出力軸２７を回転可能に軸支する。
【００７３】
コネクタ部３０Ａは、プリンタ１内の電源回路から供給される電流をクラッチ部２８Ａに入力させる（入力を受け付ける）ためのコネクタである。
コネクタ部３０Ａは、支持部材２９Ａにおける入力ギア２６側と反対側に第１回転軸Ｃ１方向に突出して配置される。図５及び図６に示すように、支持部材２９Ａ上におけるコネクタ部３０Ａの配置箇所は、多段筒部２９ａの２段目の段差として第１回転軸Ｃ１に直交する方向に延在している中間側壁部２９ｄである。
【００７４】
また、コネクタ部３０Ａは、電流を供給するための配線に接続される端子が嵌合して接続される端子部３０Ａ１を有する。端子部３０Ａ１は、図４から図６において、垂直方向上側に配置される。また、端子部３０Ａ１は、垂直方向上側に開口した凹状に形成され、該凹状の部分に配線の端子が嵌合して電気的に接続される。端子部３０Ａ１には、垂直方向上側から下側に向けて配線の端子が挿入される。
【００７５】
ここで、一方のクラッチ部２８Ａ側の端子部３０Ａ１（コネクタ部３０Ａ）と、他方側のクラッチ部２８Ｂ側の端子部３０Ｂ１（コネクタ部３０Ｂ）とは、垂直方向において、互いに向かい合うように配置される（図２及び図３参照）。言い換えると、一方のクラッチ部２８Ａ側の端子部３０Ａ１（コネクタ部３０Ａ）と、他方側のクラッチ部２８Ｂ側の端子部３０Ｂ１（コネクタ部３０Ｂ）とは、互いに近い位置に配置される。
【００７６】
また、コネクタ部３０Ａは、支持部材２９Ａ上での上記のような配置、及び、突出方向の設定によって、収容部３１Ａの最大外径の枠からはみ出さないよう支持部材２９Ａに取り付けられる。
【００７７】
収容部３１Ａは、ハウジング２２に一体形成されている。図４に示すように、収容部３１Ａは、支持部材２９Ａの外周を囲う円筒状の外周壁３１ａと、外周壁３１ａの一端側に形成される端壁３１ｂとを備えた略有頭円筒状に形成されている。収容部３１Ａは、支持部材２９Ａをカセット給紙部５１側から覆うように配置されると共に、支持部材２９Ａを収容するように配置される。
【００７８】
図４から図６に示すように、収容部３１Ａは、挿通孔３２Ａと、回り止め部３３Ａと、通気部３３１Ａとを備える。
【００７９】
挿通孔３２Ａは、出力軸２７Ａが収容部３１Ａにおける内部側から外部側に挿通可能に形成される。挿通孔３２Ａは、出力軸２７Ａが収容部３１Ａの支持部材２９Ａ側である内部側から、カセット給紙部５１側である外側に挿通可能に形成された孔部である。挿通孔３２Ａは、端壁３１ｂの中心部に貫通形成される。
【００８０】
図４及び図５に示すように、回り止め部３３Ａは、収容部３１Ａの有頭円筒状における外周壁３１ａの一部と、収容部３１Ａの頭部となっている端壁３１ｂの一部とを切り欠くようにして形成されている。
回り止め部３３Ａは、コネクタ部３０Ａの支持部材２９Ａとは逆側の端部を、収容部３１Ａから外部側に露出させる。また、回り止め部３３Ａは、コネクタ部３０Ａの外周を回り止め部３３Ａの開口の内縁に係合させることが可能になっており、コネクタ部３０Ａを介して支持部材２９Ａの回転を規制する回り止めとして機能する。
【００８１】
通気部３３１Ａは、回り止め部３３Ａと同様に、収容部３１Ａの外周壁３１ａと端壁３１ｂとを切り欠くようにして形成された開口である。本実施形態の場合、通気部３３１Ａは、回り止め部３３Ａよりも開口領域が小さく設定されている。通気部３３１Ａは、回り止め部３３Ａと共に収容部３１Ａ内の通気に寄与する部分である。
【００８２】
更に、回り止め部３３Ａ又は通気部３３１Ａのうちの少なくとも一方は、垂直方向上側に配置される。この場合、垂直方向上側とは、駆動装置２１を装置本体Ｍに取り付けた状態において、垂直上方側に位置することを意味する。駆動装置２１を装置本体Ｍに取り付けた状態では、図６に示すように、ベース板部２３や収容部３１Ａの端壁３１ｂが、垂直方向に沿う面となる。垂直方向は、図１の矢印Ｚに沿う方向である。本実施形態において、図６に示すように、回り止め部３３Ａは、垂直上方側に配置された状態になっている。
【００８３】
更に、本実施形態において、図４及び図５に示すように、回り止め部３３Ａと通気部３３１Ａとは、垂直方向において互いに対向して形成されると共に、一方が前記収容部３１Ａにおける垂直方向上側に形成され、他方が前記収容部３１Ａにおける垂直方向下側に形成される。図４の矢印Ｚは、垂直方向を示している。具体的には、図６に示すように、クラッチ部２８Ａ側において、回り止め部３３Ａは、垂直方向上側に形成され、通気部３３１Ａは、垂直方向下側に形成される。
【００８４】
また、図７に示すように、回り止め部３３Ａとして端壁３１ｂを切り欠いた開口の外縁（外面側の縁部）には、図中の矢印Ｙ２に示すコネクタ部３０Ａの挿入をガイドする傾斜状のガイド部３３ａが形成される。ガイド部３３ａは、端壁３１ｂにおける支持部材２９Ａ側から外表面側に向かって、徐々に回り止め部３３Ａの開口幅を狭める傾斜を有している。ガイド部３３ａは、コネクタ部３０Ａの挿入時に、コネクタ部３０Ａの挿入位置が矢印Ｘ２方向にずれているとき、コネクタ部３０Ａの側面に当接して、コネクタ部３０Ａのずれを解消するよう、回り止め部３３Ａの中心側にコネクタ部３０Ａをガイド（誘導）する。
【００８５】
また、図４から図６に示すように、コネクタ部３０Ａは、第１回転軸Ｃ１に直交する方向において、収容部３１Ａの有頭円筒状における端壁３１ｂが完全な円状であった場合における仮想外周（端壁３１ｂに外周に重なる円周）の内側に配置される。
【００８６】
また、図２に示すように、駆動装置２１は、カセット給紙部５１の給紙ローラ対８１に回転力を伝達する第１回転出力部４１Ａと、カセット給紙部５１の給紙ローラ８１ａに回転力を伝達する第２回転出力部４１Ｂと、カセット給紙部５１の分離ローラ８１ｂに回転力を伝達する第３回転出力部４１Ｃとの、３つの回転出力部を有している。
これらの３つの回転出力部のうち、第１回転出力部４１Ａと第２回転出力部４１Ｂは、いずれも、クラッチ部２８Ａ、２８Ｂと、クラッチ部２８Ａ、２８Ｂを覆う支持部材２９Ａ、２９Ｂと、支持部材２９Ａ、２９Ｂを収容する収容部３１Ａ、３１Ｂとを備えた構成である。
【００８７】
本実施形態の駆動装置２１は、複数のクラッチ部２８Ａ、２８Ｂを有する。詳細には、図２に示すように、駆動装置２１は、クラッチ部２８Ａ、２８Ｂ及び支持部材２９Ａ、２Ｂを収容した収容部３１Ａ、３１Ｂが、所定の間隔で並ぶようにして構成される。ここで、本実施形態において、図２及び図３に示すように、互いに隣に並んで形成される２つの収容部３１Ａ、３１Ｂにおいて、２つの回り止め部３３Ａ、３１Ｂは、互いに向かい合うような位置関係で形成される。また、２つのコネクタ部３０Ａ、３０Ｂは、互いに向かい合うような位置関係で配置される。
【００８８】
図６及び図８に示すように、ジョイント部材３４Ａは、クラッチ部２８Ａから延出する出力軸２７Ａの先端に固定装備される。図８に示すように、ジョイント部材３４Ａは、カセット給紙部５１に装備されるローラに固定された軸部材４５と連結される部材である。軸部材４５は、先端外周に突設された係合ピン４６を有する。一方、ジョイント部材３４Ａは、先端側が、軸部材４５の先端が軸方向に嵌合するように形成される構造であって、係合ピン４６が挿入されて係合可能な係合溝３４ａが形成されている。ジョイント部材３４Ａは、隣接する係合溝３４ａ間における壁の先端に形成され、係合ピン４６を係合溝３４ａに誘導するガイド面３４ｂを有して構成される。
【００８９】
図８に示す軸結合構造では、カセット給紙部５１の装置本体Ｍへの装着によって、軸部材４５が矢印Ｘ３方向に押し込まれると、係合ピン４６の位置が係合溝３４ａの位置からずれていても、ガイド面３４ｂが係合ピン４６を係合溝３４ａに誘導するため、カセット給紙部５１の装置本体Ｍへの装着操作によって、確実にローラの軸部材４５を出力軸２７Ａに連結することができる。
【００９０】
カセット給紙部５１に装備される前送りコロ６１、給紙ローラ８１ａ、分離ローラ８１ｂは、いずれも、ローラ本体と、ローラ本体に固定される軸部材４５とを備える構成になっている。
【００９１】
以上に説明した駆動装置２１は、第１回転出力部４１Ａ、第２回転出力部４１Ｂ、第３回転出力部４１Ｃの中心軸が、それぞれ、カセット給紙部５１の各ローラの中心軸と一致するように、プリンタ１におけるカセット給紙部５１に取り付けられる。
そして、プリンタ１におけるカセット給紙部５１に駆動装置２１が装着されると、図８に示した軸結合構造によって、カセット給紙部５１を構成するローラそれぞれの軸部材４５が対応する各ジョイント部材３４Ａ、３４Ｂ、３４Ｃに結合される。これより、各ローラは、駆動装置２１により回転駆動可能になる。
【００９２】
駆動装置２１は、プリンタ１の運転時には、図３に示すモータ２４が回転駆動され、モータ２４の出力する回転駆動力が、ベース板部２３上の歯車列ＧＬの伝達ギア２５を介して、それぞれの回転出力部の入力ギア２６に伝達される。
図６に示すように、クラッチ部２８Ａ、２８Ｂを有する第１回転出力部４１Ａや第２回転出力部４１Ｂは、電流の供給状態によるクラッチ部２８のＯＮ／ＯＦＦによって、入力ギア２６と出力軸２７Ａ、２７Ｂとが接続／断続され、ローラに回転駆動力を出力する状態／ローラに回転駆動力を出力しない状態に状態変更（切り替え）される。
【００９３】
駆動装置２１において、運転時（モータ２４が駆動時）、ハウジング２２内では、各ギアやクラッチ部２８Ａ、２８Ｂから熱が生じる。ここで、収容部３１Ａ，３１Ｂには垂直方向における上下側に回り止め部３３Ａ、３３Ｂ及び通気部３３１Ａ、３３１Ｂが形成されるので、駆動装置２１は、ハウジング２２内での発熱を垂直方向上側に形成される回り止め部又は通気部から逃がし、外気を垂直方向下側に形成された回り止め部又は通気部から外気を吸気させる。これにより、駆動装置２１は、内部における熱の籠もりを抑制できる。
【００９４】
以上に説明した本実施形態のプリンタ１によれば、例えば、次のような効果が奏される。
本実施形態の駆動装置２１では、ハウジング２２と、ハウジング２２における一方側に配置されるベース板部２３と、回転駆動力を出力するモータ２４と、モータ２４からの回転駆動力が伝達される伝達ギア２５と、ベース板部２３に第１回転軸Ｃ１を中心に回転可能に取り付けられ、伝達ギア２５からの回転駆動力が伝達される入力ギア２６と、入力ギア２６の第１回転軸Ｃ１方向におけるベース板部側と反対側に（入力ギア２６と同軸となるよう）第１回転軸Ｃ１を中心に回転可能に配置され、入力ギア２６からの回転駆動力が伝達可能であると共に、入力ギア２６から伝達された回転駆動力を出力可能な出力軸２７Ａ、２７Ｂと、電流の供給状態に応じて、入力ギア２６からの回転駆動力を出力軸２７Ａ、２７Ｂに伝達する連結状態と、入力ギア２６からの回転駆動力を出力軸２７Ａ、２７Ｂに伝達しない非連結状態とに入力ギア２６と出力軸２７Ａ、２７Ｂとの状態を変更可能なクラッチ部２８Ａ、２８Ｂと、クラッチ部２８Ａ、２８Ｂを覆うように配置されると共に、出力軸２７Ａ、２７Ｂを回転可能に軸支する支持部材２９Ａ、２９Ｂと、支持部材２９Ａ、２９Ｂにおける入力ギア２６側と反対側に第１回転軸Ｃ１方向に突出して配置されると共に、クラッチ部２８Ａ、２８Ｂへ供給される電流を入力するためのコネクタ部３０Ａ、３０Ｂと、ハウジング２２に形成され、支持部材２９Ａ、２９Ｂを収容可能である収容部３１Ａ、３１Ｂであって、出力軸２７Ａ、２７Ｂがハウジング２２の一方側から他方側に挿通可能な挿通孔３２Ａ、３２Ｂと、コネクタ部３０Ａ、３０Ｂが係合可能な開口状の部分であって、コネクタ部３０Ａ、３０Ｂが係合した状態において、コネクタ部３０Ａ、３０Ｂをハウジング２２の外部側に露出させると共に、支持部材２９Ａ、２９Ｂの回転を規制する回り止め部３３Ａ、３３Ｂと、を備える。
【００９５】
そのため、支持部材２９Ａ、２９Ｂは、該支持部材２９Ａ、２９Ｂに装着されるコネクタ部３０Ａ、３０Ｂと支持部材２９Ａ、２９Ｂを収容しているハウジング２２の収容部３１Ａ、３１Ｂに形成された回り止め部３３Ａ、３３Ｂとの係合により回り止めされるため、専用の回り止め部材を設ける必要がない。従って、新たな部品を追加することなく、クラッチ部２８Ａ、２８Ｂの支持部材２９Ａ、２９Ｂが回転することを抑制可能な駆動装置２１を提供することができる。
また、ハウジング２２を樹脂製とした場合に、回り止め部３３Ａ、３３Ｂとコネクタ部３０Ａ、３０Ｂとの係合が、樹脂製部品同士の係合となり、支持部材２９Ａ、２９Ｂが回転しようとしたときに生じる衝突音が発生しにくく、駆動装置２１は、静音性が向上される。
また、クラッチ部２８Ａ、２８Ｂがハウジング２２の収容部３１Ａ、３１Ｂに収容されるため、クラッチ部２８Ａ、２８Ｂの動作音が外部に漏れにくく、駆動装置２１は、静音化が向上される。
【００９６】
本実施形態の駆動装置２１では、収容部３１Ａ、３１Ｂは、回り止め部３３Ａ、３３Ｂよりも開口領域が小さい通気部３３１Ａ、３３１Ｂと、を備える。
そのため、回り止め部３３Ａ、３３Ｂ及び通気部３３１Ａ、３３１Ｂのうち一方が給気口、他方が排気口として機能して、収容部３１Ａ、３１Ｂの内部、更にはハウジング２２の内部における通気性を向上させることができる。
また、３３１Ａ、３３１Ｂを回り止め部３３よりも小さくしているため、組み立て時にコネクタ部３０Ａ、３０Ｂを誤って通気部３３１Ａ、３３１Ｂに挿入することを防止でき、組み立て作業性を向上させることができる。
【００９７】
本実施形態の駆動装置２１では、回り止め部３３Ａ、３３Ｂ又は通気部３３１Ａ、３３１Ｂのうち一方は、垂直方向上側に配置される。
そのため、暖気の上昇気流が垂直方向上側に配置される回り止め部３３Ａ、３３Ｂ又は通気部３３１Ａ、３３１Ｂから、収容部３１Ａ、３１Ｂの外部に流れやすくなり、駆動装置２１は、通気性やクラッチ部２８Ａ、２８Ｂに対する冷却性能が更に向上される。
【００９８】
本実施形態の駆動装置２１では、回り止め部３３Ａ、３３Ｂと通気部３３１Ａ、３３１Ｂとは、垂直方向において互いに対向して形成されると共に、一方が収容部３１Ａ、３１Ｂにおける垂直方向上側に形成され、他方が収容部３１Ａ、３１Ｂにおける垂直方向下側に形成される。
そのため、収容部３１Ａ、３１Ｂにおける通気が、垂直方向下側から垂直方向上側に流れる自然対流にすることができ、駆動装置２１は、通気性が更に向上される。
【００９９】
本実施形態の駆動装置２１では、図７に示したように、回り止め部３３Ａ、３３Ｂにおける外縁には、コネクタ部３０Ａ、３０Ｂの挿入をガイドする傾斜状のガイド部３３ａが形成される。
そのため、コネクタ部３０Ａ、３０Ｂの回り止め部３３Ａ、３３Ｂへの挿入時に、コネクタ部３０Ａ、３０Ｂの挿入位置がずれていても、コネクタ部３０Ａ、３０Ｂとガイド部３３ａとの当接により、コネクタ部３０Ａ、３０Ｂの位置を回り止め部３３Ａ、３３Ｂの中央部に位置修正することができ、駆動装置２１は、コネクタ部３０Ａ、３０Ｂ、組み立て性が向上される。
【０１００】
本実施形態の駆動装置２１では、収容部３１Ａ、３１Ｂは、略有頭円筒状に形成され、回り止め部３３Ａ、３３Ｂは、有頭円筒状における外周壁３１ａの一部と頭部となっている端壁３１ｂの一部とを切り欠くようにして形成され、コネクタ部３０Ａ、３０Ｂは、第１回転軸Ｃ１に直交する方向において、有頭円筒状における端壁３１ｂが完全な円状であった場合における仮想外周の内側に配置される。
そのため、コネクタ部３０Ａ、３０Ｂは、収容部３１Ａ、３１Ｂの端壁３１ｂの外周に突出せずに、効率的な配置とすることができ、駆動装置２１は、プリンタ１内でのスペース効率の向上や実装密度の向上に寄与する。
【０１０１】
本実施形態の駆動装置２１では、クラッチ部２８Ａ、２８Ｂを複数有する場合、互いに隣に並んで形成される２つの収容部３１Ａ、３１Ｂにおいて、２つの回り止め部３３Ａ、３３Ｂは、互いに向かい合うような位置関係で形成され、２つのコネクタ部３０Ａ、３０Ｂは、互いに向かい合うような位置関係で配置される。
そのため、それぞれのクラッチ部２８Ａ、２８Ｂに接続される配線（例えば、給電用のケーブル）は、互いに向かい合うコネクタ部３０Ａ、３０Ｂ間まで一緒に引きまわし、それぞれのコネクタ部用に分岐させればよく、駆動装置２１は、プリンタ１内における配線（ケーブル）の引きまわし形態を単純化することができる。
【０１０２】
本実施形態のプリンタ１では、上記の駆動装置２１と、駆動装置２１により回転される給紙ローラ８１ａであって、出力軸２７Ａ、２７Ｂに直接又は間接的に連結され出力軸２７Ａ、２７Ｂからの回転駆動力が伝達される軸部材４５と、軸部材４５に連結される給紙ローラ本体と、を有する給紙ローラ８１ａと、を備える。
そのため、上記の駆動装置２１を備える画像形成装置を提供することができる。
【０１０３】
以上、本発明の好適な実施形態について説明したが、本発明は、上述した実施形態に限定されていることなく、種々の形態を採用することができる。
本発明の画像形成装置の種類は、特に限定がなく、コピー機、プリンタ、ファクシミリ、又はこれらの複合機等であってもよい。
シート状の被転写材は、用紙に制限されず、例えば、フィルムシートであってもよい。
【符号の説明】
【０１０４】
１……プリンタ２１……駆動装置、２２……ハウジング、２３……ベース板部、２４……モータ（回転駆動源）、２５……伝達ギア、２６……入力ギア、２７Ａ、２７Ｂ……出力軸、２８Ａ、２８Ｂ……クラッチ部、２９Ａ、２９Ｂ……支持部材、３０Ａ、３０Ｂ……コネクタ部、３１Ａ、３１Ｂ……収容部、３１ａ……外周壁、３１ｂ……端壁、３２Ａ、３２Ｂ……挿通孔、３３Ａ、３３Ｂ……回り止め部、３３ａ……ガイド部、３４Ａ、３４Ｂ、３４Ｃ……ジョイント部材、５１……カセット給紙部、６１……前送りコロ、８１……給紙ローラ対、８１ａ……給紙ローラ、８１ｂ……分離ローラ、３３１Ａ、３３１Ｂ……通気部、Ｍ……装置本体
【図１】
0005600768.tif 000002
【図２】
0005600768.tif 000003
【図３】
0005600768.tif 000004
【図４】
0005600768.tif 000005
【図５】
0005600768.tif 000006
【図６】
0005600768.tif 000007
【図７】
0005600768.tif 000008
【図８】
0005600768.tif 000009